【事件の表示】
　特許第３３５４５４９号「携帯電話装置」の請求項１に係る特許に対する特許異議の申立てについて、次のとおり決定する。
【結　論】
　訂正を認める。
　本件特許異議の申立てを却下する。
【理　由】
第１．手続の経緯
　特許第３３５４５４９の請求項１ないし４に係る発明は、平成８年７月１日に出願した特願平８−１７１５２６号の一部を平成１２年４月２１日に新たな特許出願としたものであって、平成１４年９月２７日にその特許権の設定登録がなされ、その後、佐藤光男より特許異議の申立てがなされ、取消しの理由が通知され、その指定期間内である平成１６年１月２７日に訂正請求がなされたものである。
　
第２．訂正の適否についての判断
１．訂正の内容
（１）訂正事項ａ
　特許明細書の特許請求の範囲の請求項１を削除する。
（２）訂正事項ｂ
　特許明細書の特許請求の範囲の請求項２を、請求項１に繰り上げるとともに、「表示部を備えた携帯電話装置において、前記表示部に、通信状態を表す画面が表示され、特定のキーが押下されると、前記画面に、当該装置が備えている機能に対応し、当該機能を表現するアイコンを複数一度に表示し、操作により前記アイコンの１つが選択されると、前記選択されたアイコンの機能を表現する文字列を表示することを特徴とする携帯電話装置。」と補正する。　
（３）訂正事項ｃ
　特許明細書の特許請求の範囲の請求項３を、請求項２に繰り上げる。
（４）訂正事項ｄ
　特許明細書の特許請求の範囲の請求項４を、請求項３に繰り上げる。
　
２．訂正の目的の適否、新規事項の有無及び特許請求の範囲の拡張・変更の存否
（１）訂正事項ａについて　
　訂正事項ａは、特許請求の範囲の請求項１を削除する訂正を求めるものであるから、特許請求の範囲の減縮を目的とした明細書の訂正に該当し、新規事項の追加に該当せず、実質上特許請求の範囲を拡張し、又は変更するものではない。
（２）訂正事項ｂについて
　訂正事項ｂは、特許請求の範囲の請求項１を削除する訂正に伴い、請求項２を独立請求項とするための訂正であると認められるから、明りょうでない記載の釈明を目的とした明細書の訂正に該当し、新規事項の追加に該当せず、実質上特許請求の範囲を拡張し、又は変更するものではない。
（３）訂正事項ｃ、ｄについて
　訂正事項ｃ、ｄは、特許請求の範囲の請求項１を削除する訂正に伴い、請求項３、４を訂正するものであるから、明りょうでない記載の釈明を目的とした明細書の訂正に該当し、新規事項の追加に該当せず、実質上特許請求の範囲を拡張し、又は変更するものではない。
　
３．むすび
　以上のとおりであるから、上記訂正は、特許法第１２０条の４第２項及び同条第３項で準用する第１２６条第２、３項の規定に適合するので、当該訂正を認める。
　
第３．特許異議の申立てについての判断
　請求項１に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１６年２月２日（２００４．２．２）
【訂正の要旨】
審決（決定）の【理由】欄参照。
（５４）【発明の名称】
携帯電話装置
（５７）【特許請求の範囲】
　【請求項
１
表示部を備えた携帯電話装置において、
　
前記表示部に、通信状態を表す画面が表示され、
前記
し、操作により前記アイコンの１つが選択されると、前記選択されたアイコンの機能を表現する文字列を表示
る携
　【請求項
２
　前記記憶部が、前記携帯電話装置で実行される機能と、前記機能を表現するアイコンの表示データと、前記機能を表現する文字列の表示データとを対応づけて複数記憶する記憶部であり、
　前記制御部が、前記入力部において機能選択画面を表示させる操作が行われた場合に、前記記憶部から前記アイコンの表示データを複数読み出して前記表示部に出力し、前記表示部に表示された複数のアイコンの内１つが選択された場合に、前記記憶部から前記選択されたアイコンに対応する文字列の表示データを読み取って前記表示部に出力する制御部であり、
　前記表示部が、通信状態を表す画面を表示し、前記制御部から複数のアイコンの表示データが入力されると当該表示データに従って複数のアイコンを一度に表示し、前記制御部から文字列の表示データが入力されると当該表示データに従って文字列を表示する表示部であることを特徴とする携帯電話装置。
　【請求項
３
　制御部が、前記特定キーの操作が行われると、記憶部からアイコンの表示データを複数読み出して表示部に出力する制御部であることを特徴とする請求項
２
【発明の詳細な説明】
　【０００１】
　【発明の属する技術分野】
　本発明は、携帯電話装置に係り、特に装置に備えられている複数の機能を分かり易く表示し、また、機能の選択を容易にして、使い勝手を向上させることができる携帯電話装置に関する。
　【０００２】
　【従来の技術】
　携帯電話装置は、近年急速に普及しており、最近では様々な付加機能が要求されている。携帯電話装置は、装置自体が小型であるため、表示部の面積が限られており、付加機能（機能）の実行時に、装置が備えている全ての機能の名称を同時に表示するのは困難である。
　【０００３】
　そこで、従来の携帯電話装置としては、各機能に特定の番号を割り付けて、機能と番号とを対応させる対応テーブルを記憶部に記憶しておき、機能を実行させるためのキー（例えば「機能」キー）が押下された後で、番号が入力された場合に、制御部が、テーブルを参照して、入力された番号に対応する機能を確定し、実行するものがあった。
　【０００４】
　従来の携帯電話装置における機能選択実行時の処理について図６を用いて説明する。図６は、従来の携帯電話装置における機能選択実行時の処理を示すフローチャート図である。
　図６に示すように、従来の携帯電話装置の制御部は、「機能」キーが入力される（１００）と、機能選択モードに移行し、番号が入力される（１０２）と、対応テーブルを参照して入力番号に対応する機能を実行し（１０４）、通常モードに戻って処理を終了する。このようにして、従来の携帯電話装置における機能選択実行時の処理が行われるようになっていた。
　【０００５】
　また、別の従来の携帯電話装置としては、機能名称を登録したテーブルを備え、「機能」キー押下により機能選択モードに移行して、１つの機能名称を表示し、その後、スクロールキーが押下されると、テーブルに従って表示する機能名称を順次ずらしていき、確定キーが押下された場合に表示されている機能を実行するものもあった。
　【０００６】
　別の従来の携帯電話装置の機能選択実行時の処理について図７を用いて説明する。図７は、別の従来の携帯電話装置における機能選択実行時の処理を示すフローチャート図である。
　図７に示すように、別の従来の携帯電話装置の制御部は、「機能」キーが入力される（２００）と、記憶部に記憶されているテーブルに従って先頭の機能名称を表示し（２０２）、「スクロール」又は「確定」キーのいずれが入力されたかを判断する（２０４）。
　【０００７】
　「スクロール」キーが入力された場合には、処理２０２に戻って、テーブルから次の機能名称を読み取って表示する。
　処理２０４において「確定」キーが入力された場合には、表示されている機能を実行する。このようにして別の従来の携帯電話装置における機能選択実行時の処理が行われるようになっていた。
　【０００８】
　【発明が解決しようとする課題】
　しかしながら、上記従来の携帯電話装置の内、機能に割り付けられた番号を入力するものでは、利用者は、各機能とそれに対応する番号とを覚えておかなければ機能が使えず、機能の数が多くなると、全て覚えるのは極めて困難であり、取扱説明書を携帯してその都度参照しなければならず、不便であるという問題点があった。
　【０００９】
　また、上記従来の移動電話装置の内、機能名称をスクロールして表示させるものでは、機能の数が多くなると、利用者は、目的の機能を表示させるためにスクロール操作を何度も繰り返さなければならず、操作が煩わしいという問題点があった。
　【００１０】
　そこで、機能の内容を的確に表すアイコンの表示データを備え、機能選択実行時には、表示部に機能に対応したアイコンを表示して、カーソルによって選択されたアイコンの機能を実行するようにし、限られたスペースに多くの機能を分かりやすく表示して、選択し易くする技術が考えられている。
　【００１１】
　しかしながら、上記の技術では、アイコンに不慣れな利用者は、所望の機能に対応するアイコンがどれなのかよくわからず、操作を誤ったり、所望の機能を実行するために何度もアイコンを選択しなければならないことがあり、アイコンに不慣れな利用者への配慮が十分ではなかった。
　【００１２】
　本発明は上記実情に鑑みて為されたもので、アイコン表示により多くの機能を分かりやすく表示し、更に、アイコンに不慣れな利用者でも、容易に機能を選択することができ、使い勝手を向上することができる携帯電話装置を提供することを目的とする。
　【００１３】
　【課題を解決するための手段】
　上記従来例の問題点を解決するための請求項
１
表示部を備えた
前記表示部に、通信状態を表す画面が表示され、
前記
し、操作により前記アイコンの１つが選択されると、前記選択されたアイコンの機能を表現する文字列を表示
　【００１４】
　上記従来例の問題点を解決するための請求項
２
　上記従来例の問題点を解決するための請求項
３
２
　【００１５】
　【発明の実施の形態】
　本発明の実施の形態について図面を参照しながら説明する。
　本発明の実施の形態に係る携帯電話装置（本装置）は、機能を表すアイコンに対応して、文字によるガイダンスを表示するようにしており、限られたスペースに多くの機能を表示でき、更に、アイコンに不慣れな利用者でも容易に機能を選択することができるようにしているものである。
　【００１６】
　図１は、本発明の実施の形態に係る携帯電話機の部分構成ブロック図である。
　図１に示すように、本装置は、送受信とそれに伴う変調復調を行う無線部１と、通話に伴うデータ処理及び付加機能の制御を行うＣＰＵ２と、キー入力部３と、処理プログラムや表示データを備えているＲＯＭ４と、表示部としてのＬＣＤ６と、ＬＣＤ６を駆動するＬＣＤドライバ５と、カーソル位置のデータ等を記憶するＲＡＭ７とから構成されている。実際には、音声処理部や、音声出力部等が設けられているが、本発明とは直接関係ないので、ここでは省略する。
　【００１７】
　次に、各構成部分について具体的に説明する。
　ＬＣＤ６は、ドットマトリクスとなっており、アイコンの細かいパターンを表示することができるものである。本装置では、画面上部に横に８個のアイコンを並べて表示することができるようになっている。
　ＬＣＤドライバ５は、ＣＰＵ２からの指示に従ってＬＣＤ６を駆動し、アイコンのパターンやガイダンスを表示するものである。
　【００１８】
　また、ＲＯＭ４は、付加機能を実行する処理プログラム（機能プログラム）と、各機能に対応するアイコンの表示データと、本装置の特徴であるアイコンに対応する文字のガイダンスの表示データを備えている。更に、ＲＯＭ４は、各アイコンと、それに対応するガイダンスと、機能プログラムとを記憶する機能対応テーブルを備えている。本装置では、説明を簡単にするために、付加機能の数及びアイコンの数を８個として説明する。
　【００１９】
　ここで、機能対応テーブルについて図２を用いて説明する。図２は、機能対応テーブルの模式説明図である。
　図２に示すように、機能対応テーブルは、アイコンと、それに対応する文字のガイダンスと、機能プログラムと、機能選択画面におけるカーソル位置（ここでは、画面左から順に１、２、…８とする）とを記憶するテーブルである。本装置では、機能の数、つまりアイコンの数を８個としているので、アイコンとカーソル位置とは１対１に対応している。
　【００２０】
　次に、ＣＰＵ２について説明する。
　そして、本装置のＣＰＵ２は、キー入力部３の特定キー（例えば「機能」キー）が押下されると、機能選択実行モードに移行し、機能選択画面を表示するものであり、また、特定キー（例えば「確定」キー）の押下によって確定されたアイコンに対応する機能のプログラムを実行するものである。
　【００２１】
　具体的には、ＣＰＵ２は、「機能」キーが押下されると、ＲＯＭ４からアイコンの表示データを読み出して、ＬＣＤドライバ５に出力し、ＬＣＤドライバ５がＬＣＤ６にアイコンとカーソルを表示する。
　【００２２】
　ここで、カーソル位置のデータ（１、２、…８）は、ＲＡＭ７に記憶されており、ＣＰＵ２は、これに従ってカーソルを表示する指示を出力する。そして、スクロールキー等によりカーソル移動の指示が入力されると、入力に従ってカーソルの位置を求め、ＲＡＭ７のデータを更新するようになっている。
　【００２３】
　更に、キー入力部３の「確定」キー等の押下によって、カーソル位置が確定されると、ＣＰＵ２は、ＲＯＭ４の機能対応テーブルを参照して、確定されたカーソル位置に対応する機能プログラムを読み込んで、実行する。
　例えば、「カーソル位置２」で「確定」キーが押下された場合に、ＣＰＵ２は、ＲＯＭ４の機能対応テーブルを参照して、「カーソル位置２」に対応する「時計設定」のプログラムを読み込んで、実行するようになっている。
　このように、機能をアイコンで表示することにより、小さい表示部でも、一度に多くの機能名を表示することができ、選択しやすくすることができるものである。
　【００２４】
　そして、本装置の特徴として、ＣＰＵ２は、機能選択画面において、アイコンだけでなく、カーソルによって選択されているアイコンに対応するガイダンスを表示するものである。
　【００２５】
　具体的には、ＣＰＵ２は、ＲＡＭ７からカーソル位置を読み取って、ＲＯＭ４の機能対応テーブルを参照し、カーソル位置に対応するガイダンスのデータを読み取って、ＬＣＤドライバ５に出力する。
　【００２６】
　例えば、「カーソル位置２」の場合、ＲＯＭ４の機能対応テーブルに基づいて、カーソル位置「２」に対応するガイダンス「時計設定」を読み出して、ＬＣＤドライバ５に出力するものである。そして、ＬＣＤドライバ５が、ＣＰＵ２からの指示を受けて、予め設定されているフォーマットに従って、ガイダンスを表示するようになっている。
　【００２７】
　ここで、本装置の機能選択画面の表示例について図３を用いて説明する。図３は、本装置の機能選択画面の表示例を示す説明図である。
　図３に示すように、キー入力部３の「機能」キーが押下されると、図３（ａ）に示すような機能選択画面が表示される。カーソル位置は、ＲＡＭ７に記憶されているデータに従って表示されるが、ここでは、カーソルは一番左（「１」の位置）にあり、ガイダンスは「電話番号」となっている。
　【００２８】
　そして、利用者が、キー入力部３のスクロールキーを押下すると、カーソルは「２」の位置に移動し、ガイダンスは「時計設定」に変わる。以下同様に、スクロールキーを押下して、カーソル位置が変わる毎に、ガイダンスの表示も変わるようになっている。
　これにより、本装置では、アイコンに不慣れな利用者でも、容易に機能を選択して実行することができるようにしている。
　【００２９】
　次に、本装置のＣＰＵ２における処理の流れについて図４を用いて説明する。図４は、本装置のＣＰＵ２における処理の流れを示すフローチャート図である。
　図４に示すように、ＣＰＵ２は、「機能」キーが押下（３００）されると、機能選択実行モードに移行し、ＬＣＤドライバ５に、アイコン表示の指示を出力し（３０２）、ＲＡＭ７からカーソル位置を読み込み（３０４）、それに基づいて、ＬＣＤドライバ５に、カーソル表示の指示を出力する（３０６）。
　【００３０】
　そして、ＣＰＵ２は、ＲＯＭ４の機能対応テーブルを参照して、カーソル位置に対応するガイダンスを読み取り、ＬＣＤドライバ５に、ガイダンス表示の指示を出力する（３０８）。
　【００３１】
　そして、ＣＰＵ２は、入力が「スクロール」キーであるか「確定」キーであるかを判断し（３１０）、「確定」であれば、機能対応テーブルからカーソル位置に対応する機能プログラムを読み取って（３１２）、該機能プログラムを読み込んで実行する（３１４）。
　【００３２】
　また、処理１１０で入力がスクロールであった場合、ＣＰＵ２は、ＲＡＭ７のカーソル位置のデータを更新し（３１６）、処理３０６に移行して、新しいカーソル位置に対応したカーソル及びガイダンスを表示する。
　このようにして、ＣＰＵ２における処理が行われるようになっている。
　【００３３】
　本発明の実施の形態に係る携帯電話装置によれば、ＲＯＭ４に、機能を表すアイコンに対応して文字によるガイダンスの表示データを備え、また、アイコンと、それに対応するガイダンスと、カーソル位置と、機能プログラムとを記憶する機能対応テーブルを設けており、ＣＰＵ２が、機能選択画面の表示の際に、機能対応テーブルを参照して、機能選択画面におけるカーソル位置に対応するガイダンスを表示するようにしているので、カーソルで選択されているアイコンに対応する機能名を文字で表示することができ、アイコンに不慣れな利用者でも、容易に機能名を認識して、所望の機能を選択することができる効果がある。
　【００３４】
　また、本装置では、機能の数を８個以内として説明したが、別の実施の形態に係る携帯電話装置（別の装置）として、より多くの機能を備えている場合について簡単に説明する。
　別の装置では、機能数が、ＬＣＤ６において同時に表示可能なアイコンの数よりも多いために、スクロールキーにより、アイコンをスクロール表示する。この場合には、カーソル位置とアイコンとの対応は随時変化するので、ＲＯＭ４の機能対応テーブルでカーソル位置とアイコンとを対応付けるのではなく、ＲＡＭ７において、現在表示されているアイコンとカーソル位置とを対応させる。
　【００３５】
　このような例について図５を用いて説明する。図５は、本発明の別の実施の形態に係る携帯電話装置のＲＡＭ７の例を示す説明図である。
　図５に示すように、別の装置のＲＡＭ７では、位置と、それに対応するカーソルの有無と、そこに現在表示されているアイコンとを記憶している。そして、ＣＰＵ２は、ＲＡＭ７から、カーソル「有り」の位置に対応したアイコンを読み取り、ＲＯＭ４の機能対応テーブルから、アイコンに対応したガイダンスを読み取って表示するようになっている。
　【００３６】
　別の実施の形態に係る携帯電話装置によれば、ＲＡＭ７に、ＬＣＤ６における表示位置毎の、カーソルの有無と、表示されているアイコンとを記憶しておき、ＣＰＵ２が、カーソル「有り」の位置に対応したアイコンを読み取り、ＲＯＭ４の機能対応テーブルから当該アイコンに対応したガイダンスを読み取って表示するようにしているので、機能の数が多くてスクロール表示される場合でも、カーソルで選択されているアイコンに対応したガイダンスを表示することができ、機能の選択を容易にして、使い勝手を向上させることができる効果がある。
　【００３７】
　【発明の効果】
　請求項
１
し、操作によってアイコンが選択されると、当該アイコンの機能の内容を表す文字のガイダンスを表示
る携
　【００３８】
　請求項
２
　請求項
３
２
【図面の簡単な説明】
　【図１】
　本発明の実施の形態に係る携帯電話機の部分構成ブロック図である。
　【図２】
　機能対応テーブルの模式説明図である。
　【図３】
　本装置の機能選択画面の表示例を示す説明図である。
　【図４】
　本装置のＣＰＵ２における処理の流れを示すフローチャート図である。
　【図５】
　本発明の別の実施の形態に係る携帯電話装置のＲＡＭ７の例を示す説明図である。
　【図６】
　従来の携帯電話装置における機能選択実行時の処理を示すフローチャート図である。
　【図７】
　別の従来の携帯電話装置における機能選択実行時の処理を示すフローチャート図である。
　【符号の説明】
　１…無線部、　２…ＣＰＵ、　３…キー入力部、　４…ＲＯＭ、　５…ＬＣＤドライバ、　６…ＬＣＤ、　７…ＲＡＭ